(57)【要約】【課題】外部記憶メディアから所望のメディアデータを容易に検索し再生することができるメディア再生装置を提供する。【解決手段】メディアデータの再生された内容の割合を示す再生完了率に基づいて、外部記憶メディア２に記憶されたメディアデータの中から選別したメディアデータに関する情報の再生リストを作成する検索処理部１３と、検索処理部１３により作成された再生リストを表示部３に表示する表示処理部１４とを備える。【選択図】図１
2015069212.tif 000002
【特許請求の範囲】
【請求項１】
外部記憶メディアに記憶されたメディアデータに関する情報のリストを表示部に表示し、前記リストを基に再生が指示されたメディアデータを前記外部記憶メディアから読み出して再生するメディア再生装置であって、
メディアデータの再生された内容の割合を示す再生完了率に基づいて、前記外部記憶メディアに記憶されたメディアデータの中から選別したメディアデータに関する情報のリストを作成する検索処理部と、
前記検索処理部により作成されたリストを前記表示部に表示する表示処理部とを備えるメディア再生装置。
【請求項２】
前記検索処理部は、メディアデータの再生された再生回数および前記再生完了率に基づいて、前記外部記憶メディアに記憶されたメディアデータの中から選別したメディアデータに関する情報のリストを作成することを特徴とする請求項１記載のメディア再生装置。
【請求項３】
前記検索処理部は、前記再生完了率が高い順にメディアデータのリスト内の順序を決定したリストを作成することを特徴とする請求項１記載のメディア再生装置。
【請求項４】
前記検索処理部は、前記再生完了率が高く、前記再生回数が多い順にメディアデータのリスト内の順序を決定したリストを作成することを特徴とする請求項２記載のメディア再生装置。
【請求項５】
外部からの操作を受け付ける操作受け付け部と、
前記操作受け付け部により受け付けられた操作を実行する操作処理部とを備え、
前記検索処理部は、
前記再生完了率が低い順にメディアデータのリスト内の順序を決定したリストを作成し、
前記操作処理部は、
前記表示処理部により前記表示部に表示された前記リストを基に、前記操作受け付け部により削除が指示されたメディアデータを前記外部記憶メディアから削除することを特徴とする請求項１記載のメディア再生装置。
【請求項６】
前記検索処理部は、メディアデータの再生された再生回数が少なく、前記再生完了率が低い順にメディアデータのリスト内の順序を決定したリストを作成することを特徴とする請求項５記載のメディア再生装置。
【発明の詳細な説明】
【技術分野】
【０００１】
この発明は、外部記憶メディアに記憶されるメディアデータを再生するメディア再生装置に関する。
【背景技術】
【０００２】
外部記憶メディアにおいて、メディアデータは、フォルダごとのファイルとして管理されている。しかしながら、利用者が、どのフォルダにどのファイルがあるのか、といった管理情報を把握していない場合は、所望のファイルにたどり着くまでに複数のステップが必要あり、所望のファイルを再生するまで時間がかかる。
例えば、メディア再生装置が車載のナビゲーション装置やオーディオ装置であり、これを運転者が操作する場合に、ファイルを再生するための操作のステップ数が多くなると、運転に注力できなくなる。
【０００３】
これに対し、例えば、特許文献１に記載されるメディア再生装置は、外部記憶メディアに記憶されているフォルダが複数の階層に跨がって構成されている場合、全てのフォルダを同一階層の管理に変更し、さらに全てのメディアデータに関する全メディアデータ情報を格納するＡＬＬフォルダを新たに作成する。このＡＬＬフォルダの全楽曲リストを提示することにより、利用者は、容易に全楽曲リストから所望の楽曲を検索し再生することができる。
【先行技術文献】
【特許文献】
【０００４】
【特許文献１】特開２０１２−８９１９３号公報
【発明の概要】
【発明が解決しようとする課題】
【０００５】
従来から、外部記憶メディアに記憶される所望のファイルの再生を簡易に行うために、利用者のお気に入りのファイルが登録された再生リストを提示して、この再生リストから所望の楽曲を検索し再生することが行われている。
この場合、利用者が外部記憶メディアに記憶される全てのファイルを把握して、これらの中からお気に入りのファイルを選択して再生リストが作成される。このように利用者が煩雑な処理を事前に行う必要があるという課題があった。
【０００６】
また、特許文献１に代表される従来の技術は、フォルダの階層をたどらずにファイルの検索が可能であり、ファイルを再生するための操作のステップ数を削減することが可能である。しかしながら、外部記憶メディアに記憶される全楽曲リストの中から検索する必要があるため、所望のファイルを見つけて再生するまでに時間がかかるという課題がある。
【０００７】
この発明は、上記のような課題を解決するためになされたもので、外部記憶メディアから所望のメディアデータを容易に検索し再生することができるメディア再生装置を得ることを目的とする。
【課題を解決するための手段】
【０００８】
この発明に係るメディア再生装置は、外部記憶メディアに記憶されたメディアデータに関する情報のリストを表示部に表示し、リストを基に再生が指示されたメディアデータを外部記憶メディアから読み出して再生するメディア再生装置であって、メディアデータの再生された内容の割合を示す再生完了率に基づいて、外部記憶メディアに記憶されたメディアデータの中から選別したメディアデータに関する情報のリストを作成する検索処理部と、検索処理部により作成されたリストを表示部に表示する表示処理部を備える。
【発明の効果】
【０００９】
この発明によれば、外部記憶メディアから所望のメディアデータを容易に検索し再生することができるという効果がある。
【図面の簡単な説明】
【００１０】
【図１】この発明の実施の形態１に係るメディア再生装置の構成を示すブロック図である。
【図２】実施の形態１に係るメディア再生装置の動作を示すフローチャートである。
【図３】再生リスト画面の操作例（その１）を示す図である。
【図４】更新後の再生リスト画面を示す図である。
【図５】再生リスト画面の操作例（その２）を示す図である。
【図６】実施の形態１に係るメディア再生装置の再生リストの作成処理を示すフローチャートである。
【図７】この発明の実施の形態２に係るディア再生装置の再生リストの作成処理を示すフローチャートである。
【発明を実施するための形態】
【００１１】
実施の形態１．
図１は、この発明の実施の形態１に係るメディア再生装置の構成を示すブロック図である。図１において、メディア再生装置１は、外部記憶メディア２に記憶されたメディアデータ（音声および動画ファイルなど）の再生リストを表示部３に表示し、再生リストを基に再生が指示されたメディアデータを外部記憶メディア２から読み出して再生するマルチプレーヤである。その構成として、外部記憶メディア検知部１０、操作受け付け部１１、操作処理部１２、検索処理部１３、表示処理部１４、再生処理部１５、情報登録処理部１６および情報記憶部１７を備える。
【００１２】
外部記憶メディア２は、メディアデータを記憶する記憶メディアであり、例えば、ＳＤ（Ｓｅｃｕｒｅ  Ｄｉｇｉｔａｌ）カードやＵＳＢ（Ｕｎｉｖｅｒｓａｌ  Ｓｅｒｉａｌ  Ｂｕｓ）メモリなどが挙げられる。表示部３は、表示処理部１４の制御により再生リストなどを表示する表示装置である。例えば、液晶表示ディスプレイ、プラズマ表示ディスプレイ、および有機ＥＬ（ＥｌｅｃｔｒｏＬｕｍｉｎｅｓｃｅｎｃｅ）ディスプレイなどで実現することができる。
【００１３】
外部記憶メディア検知部１０は、外部記憶メディア２がメディア再生装置１に接続されたか否かを検知する検知部である。操作受け付け部１１は、外部からの操作を受け付ける処理部である。例えば、表示部３に搭載されたタッチパネルの押圧操作などを受け付ける。操作処理部１２は、操作受け付け部１１により受け付けられた操作情報に応じた処理を実行する処理部である。例えば、操作情報に応じて、検索処理部１３に対して情報記憶部１７の検索を指示し、再生処理部１５に対してメディアデータの再生を指示する。
【００１４】
検索処理部１３は、外部記憶メディア２に記憶されたメディアデータに対応する再生完了率情報を情報記憶部１７から検索し、検索結果の再生完了率情報に基づいて、メディアデータに関する情報の再生リストを作成する検索処理部である。
なお、再生リストとは、メディアデータの再生完了率情報に基づいて、外部記憶メディア２に記憶されたメディアデータの中から選別したメディアデータに関する情報（例えばファイル名）のリストである。
【００１５】
表示処理部１４は、検索処理部１３および再生処理部１５による各処理で生じた情報を表示部３に表示する処理部である。例えば、検索処理部１３により作成された再生リストを表示部３に表示し、再生処理部１５によりメディアデータから再生されたメディア情報を表示部３に表示する。再生処理部１５は、外部記憶メディア２から読み出したメディアデータを再生する処理部である。また、再生処理部１５は、メディアデータのファイル名や再生を行った時間、再生回数を特定して情報登録処理部１６に出力する。
【００１６】
情報登録処理部１６は、再生処理部１５に再生されたメディアデータに関するファイル情報として、再生完了率情報、再生回数情報、登録時間情報、ファイル名情報、ファイルパス情報を情報記憶部１７に登録する処理部である。
ここで、再生完了率情報は、利用者によって過去に再生されたメディアデータの内容の割合を示す情報である。例えば、利用者が選択した楽曲データが曲全体の何％が再生されたかを表す。つまり、利用者が選択した楽曲データを最初から最後まで再生した場合には１００％となり、半分で再生を止めた場合は５０％となる。
再生回数情報は、利用者によって過去に再生されたメディアデータの再生回数である。
登録時間情報は、利用者がメディアデータの再生を指示した時間を示す情報である。例えば、利用者が夕暮れ時に楽曲データの再生を指示した場合、夕暮れの時間帯が登録時間情報となる。
ファイル名情報は、利用者によって再生されたメディアデータのファイル名を示す情報であり、ファイルパス情報は、利用者によって再生されたメディアデータの外部記憶メディア２におけるファイルパスを示す情報である。
【００１７】
情報記憶部１７は、再生処理部１５によって再生されたメディアデータに関する、再生完了率情報、再生回数情報、登録時間情報、ファイル名情報、およびファイルパス情報を記憶する記憶部である。例えば、メディア再生装置１に搭載されたハードディスク装置（ＨＤＤ）などの記憶装置、あるいは、ネットワークに接続されたサーバまたはスマートフォンなどの外部機器が備える記憶装置に構築される。
【００１８】
なお、外部記憶メディア検知部１０、操作受け付け部１１、操作処理部１２、検索処理部１３、表示処理部１４、再生処理部１５および情報登録処理部１６は、メディア再生装置１として機能させる情報処理装置のマイクロコンピュータが、この発明に特有な処理に関するプログラムを実行することで、ハードウェアとソフトウェアとが協働した具体的な手段として実現される。
【００１９】
次に動作について説明する。
図２は、実施の形態１に係るメディア再生装置の動作を示すフローチャートであって、外部記憶メディア２に記憶されたメディアデータの再生リストを表示部３に表示し、再生リストに基づくメディアデータ再生指示を受け付けるまでの処理を示している。
ステップＳＴ１において、外部記憶メディア検知部１０が、メディア再生装置１に外部記憶メディア２が接続されたか否かを検知する。外部記憶メディア２が検知されない場合（ステップＳＴ１；ＮＯ）、検知処理を繰り返す。
【００２０】
外部記憶メディア検知部１０によって外部記憶メディア２が検知された場合（ステップＳＴ１；ＹＥＳ）、操作処理部１２が、検索処理部１３に指示して、外部記憶メディア２に記憶されているメディアデータに関する情報（ファイル名）の再生リストを作成して、表示処理部１４に出力する。なお、この段階で作成される再生リストは、外部記憶メディア２におけるフォルダの階層関係をリスト内の順序にそのまま反映したリストである。
【００２１】
表示処理部１４は、検索処理部１３が作成した再生リストを含む選択用画面を表示部３に表示する。例えば、図３に示すような選択用画面３ａが表示される。選択用画面３ａには、再生リスト欄３ｂおよび検索ボタン３ｃが表示されており、再生リスト欄３ｂでは、検索処理部１３が作成した再生リストのファイルを選択することができる。
また、検索ボタン３ｃは、外部記憶メディア２に記憶されたメディアデータに対応する再生完了率情報に基づいた再生リストの作成を検索処理部１３に指示するボタンである。
【００２２】
次に、操作受け付け部１１は、検索ボタン３ｃの押下が受け付けられたかどうかを確認する（ステップＳＴ２）。図３に示すように、利用者による検索ボタン３ｃの押下（選択）操作が受け付けられた場合（ステップＳＴ２；ＹＥＳ）、操作処理部１２は、検索処理部１３に対して、外部記憶メディア２に記憶されたメディアデータに対応する再生完了率情報に基づく再生リストの作成を指示する。
【００２３】
検索処理部１３は、操作処理部１２から上記指示を受けると、まず、情報記憶部１７を検索して、外部記憶メディア２に記憶されているメディアデータに対応するファイル情報があるかどうかを確認する（ステップＳＴ３）。情報記憶部１７に対応するファイル情報がなければ（ステップＳＴ３；ＮＯ）、処理を終了する。
一方、情報記憶部１７に対応するファイル情報がある場合（ステップＳＴ３；ＹＥＳ）、検索処理部１３は、情報記憶部１７から該当するファイル情報を読み出して取得する（ステップＳＴ４）。
【００２４】
続いて、検索処理部１３は、情報記憶部１７から読み出したファイル情報のうち、再生完了率情報に基づいて、外部記憶メディア２に記憶されたメディアデータの中から選別したメディアデータに関する情報（ファイル名）の再生リストを作成する（ステップＳＴ５）。表示処理部１４は、検索処理部１３が作成した再生リストで先に表示した再生リストを更新することにより、この再生リストを含む選択用画面を表示部３に表示する（ステップＳＴ６）。例えば、図４に示す選択用画面３ａが表示され、再生完了率情報に基づいた再生リストによって再生リスト欄３ｂの内容が更新されている。
【００２５】
例えば、様々な楽曲データを再生した際に、通常の人間は、自然な行動として、自身が好む曲を好まない曲よりも長く再生する。すなわち、最後まで聞かれた曲は、途中で止めた曲よりも利用者の嗜好に合っていると言える。
そこで、この実施の形態１では、利用者により過去に再生された内容の割合を示す再生完了率情報に基づいてメディアデータを選別し再生リストを作成する。
これにより、利用者の嗜好が的確に反映されたメディアデータの再生リストを表示することができ、利用者は、この再生リストに基づいて所望のデータを容易に検索し再生することが可能である。
【００２６】
一方、利用者による検索ボタン３ｃの押下（選択）操作が受け付けられなかった場合（ステップＳＴ２；ＮＯ）、操作受け付け部１１は、再生リスト欄３ｂのファイル名の押下が受け付けられたかどうかを確認する（ステップＳＴ７）。ここで、ファイル名の押下もなかった場合（ステップＳＴ７；ＮＯ）、処理を終了する。
図５に示すように、利用者によるファイル名の押下（選択）操作が受け付けられた場合（ステップＳＴ７；ＹＥＳ）、操作処理部１２は、選択されたファイル名“□□○○”を再生処理部１５に通知して再生を指示する。
【００２７】
再生処理部１５は、操作処理部１２から通知されたファイル名“□□○○”ファイルパス情報に基づいて、対応するメディアデータを外部記憶メディア２から読み出して再生を行う（ステップＳＴ８）。このとき、再生処理部１５は、メディアデータの再生が継続されている時間を計時するとともに、このメディアデータのファイル名とその再生が指示された時間（登録時間情報）を情報登録処理部１６に通知する。
【００２８】
情報登録処理部１６は、再生処理部１５から通知された情報と、情報記憶部１７に記憶されているファイル情報とを照合することにより、利用者に選択されたメディアデータのファイル情報を更新する。すなわち、当該メディアデータのファイル情報における再生回数情報および登録時間情報が更新される。
この後、再生処理部１５は、次に別のメディアデータを再生するときに、前回再生したメディアデータの再生完了率を算出して情報登録処理部１６に通知する。
情報登録処理部１６は、再生処理部１５から通知された再生完了率情報で、情報記憶部１７に記憶されている対応するメディアデータのファイル情報を更新する。ここまでがステップＳＴ９の処理に相当する。
【００２９】
なお、再生完了率は、メディアデータの再生された内容の割合であることから、データ内容に関係ない部分を除いて計算してもよい。例えば、メディアデータが映画データである場合、エンドロールの部分を除いた映画の内容を示す部分のみの再生時間から再生完了率を算出する。このようにすることで、利用者の嗜好に合ったデータを的確に選別することができる。
【００３０】
図６は、実施の形態１に係るメディア再生装置の再生リストの作成処理を示すフローチャートであり、図２のステップＳＴ５の処理の詳細を示している。
検索処理部１３は、情報記憶部１７から読み出した再生完了率情報に基づいて、外部記憶メディア２から選別したメディアデータのファイル名のリスト内の順番を再生完了率が高い順に並び替える（ステップＳＴ１ａ）。
【００３１】
次に、検索処理部１３は、並び替えた順番でファイル名が記載された再生リストを作成する（ステップＳＴ２ａ）。これにより、利用者の嗜好に合ったメディアデータを優先的に示す再生リストを作成することができる。
例えば、再生リストに多数のファイル名が登録された場合であっても、その中から最も利用者の嗜好に合ったものが再生リスト欄３ｂの上位に表示される。
従って、利用者は、再生リスト欄３ｂのファイル名をスクロールで検索することなく、最初にリスト表示されたファイル名の中から所望のデータのファイル名を選択することが可能となる。これにより、所望のデータを短時間で選択し再生することができる。
【００３２】
なお、上記説明では、利用者の嗜好を的確に反映した再生リストを表示する場合を示したが、逆に、再生完了率が低い順にファイル名を記載したリストを作成することで、利用者の嗜好に合わないメディアデータを選別することが可能である。
例えば、検索処理部１３が、再生完了率が低い順にメディアデータのリスト内の順序を決定した削除候補リストを作成し、表示処理部１４により表示部３に表示させる。
操作処理部１２が、表示処理部１４により表示部３に表示した削除候補リストを基に、操作受け付け部１１によって削除が指示されたメディアデータを外部記憶メディア２から削除する。このようにすることで、外部記憶メディア２の記憶領域を有効に活用することが可能となる。
【００３３】
以上のように、この実施の形態１によれば、メディアデータの再生された内容の割合を示す再生完了率に基づいて、外部記憶メディア２に記憶されたメディアデータの中から選別したメディアデータに関する情報の再生リストを作成する検索処理部１３と、検索処理部１３により作成された再生リストを表示部３に表示する表示処理部１４とを備える。このように構成することで、利用者の嗜好が的確に反映されたメディアデータの再生リストを表示することができ、利用者は、この再生リストに基づいて所望のデータを容易に検索し再生することが可能である。
【００３４】
また、この実施の形態１によれば、検索処理部１３が、再生完了率が高い順にメディアデータのリスト内の順序を決定した再生リストを作成する。このようにすることで、利用者は、再生リストをスクロールして検索することなく、最初にリスト表示されたデータの中から所望のデータを選択することが可能となる。これにより、所望のデータを短時間で選択し再生することができる。
【００３５】
さらに、この実施の形態１によれば、検索処理部１３が、再生完了率が低い順にメディアデータのリスト内の順序を決定した削除候補リストを作成し、操作処理部１２が、表示処理部１４により表示部３に表示された削除候補リストを基に、操作受け付け部１１により削除が指示されたメディアデータを外部記憶メディア２から削除する。
このように構成することで、外部記憶メディア２の記憶領域を有効に活用することができる。
【００３６】
実施の形態２．
実施の形態２では、検索処理部１３が、メディアデータの過去に再生された再生回数と再生完了率に基づいて、外部記憶メディア２に記憶されたメディアデータの中から選別したメディアデータに関する情報の再生リストを作成する。
例えば、楽曲データを再生する際に、通常の人間は、自然な行動として、自身が好む曲を好まない曲よりも長く再生し、また自身が好む曲は好まない曲よりも多く再生される。
そこで、この実施の形態１では、利用者により過去に再生された内容の割合を示す再生完了率情報と過去に再生された再生回数に基づいてメディアデータを選別し再生リストを作成する。これにより、利用者の嗜好に合ったデータ選別の信頼性を、実施の形態１よりも向上させることができる。
【００３７】
図７は、実施の形態２に係るメディア再生装置の再生リストの作成処理を示すフローチャートであり、図２のステップＳＴ５に相当する処理の詳細を示している。
まず、検索処理部１３が、情報記憶部１７から読み出した再生完了率情報に基づいて、外部記憶メディア２から選別したメディアデータのファイル名のリスト内の順番を再生完了率が高い順に並び替える（ステップＳＴ１ｂ）。
続いて、検索処理部１３は、情報記憶部１７から読み出した再生回数情報に基づいて、ステップＳＴ１ｂで決定したファイル名の順番を並び替える（ステップＳＴ２ｂ）。
【００３８】
次に、検索処理部１３は、並び替えた順番でファイル名が記載された再生リストを作成する（ステップＳＴ３ｂ）。これにより、利用者の嗜好に合ったメディアデータを優先的に示す再生リストを作成することができる。
例えば、再生リストに多数のファイル名が登録された場合であっても、その中から最も利用者の嗜好に合ったものが再生リスト欄３ｂの上位に表示される。
従って、利用者は、再生リスト欄３ｂのファイル名をスクロールで検索することなく、最初にリスト表示されたファイル名の中から所望のデータのファイル名を選択することが可能となる。これにより、所望のデータを短時間で選択し再生することができる。
【００３９】
なお、上記説明では、利用者の嗜好を的確に反映した再生リストを表示する場合を示したが、逆に、再生回数が少なく、再生完了率が低い順にファイル名を記載したリストを作成することで、利用者の嗜好に合わないメディアデータを選別することが可能である。
例えば、検索処理部１３が、再生回数が少なく、再生完了率が低い順にメディアデータのリスト内の順序を決定した削除候補リストを作成し、表示処理部１４により表示部３に表示させる。
操作処理部１２が、表示処理部１４により表示部３に表示した削除候補リストを基に、操作受け付け部１１によって削除が指示されたメディアデータを外部記憶メディア２から削除する。このようにすることで、外部記憶メディア２の記憶領域を有効に活用することが可能となる。
【００４０】
以上のように、この実施の形態２によれば、検索処理部１３が、メディアデータの再生された再生回数および再生完了率に基づいて、外部記憶メディア２に記憶されたメディアデータの中から選別したメディアデータに関する情報の再生リストを作成する。
このように構成することで、実施の形態１よりもさらに的確に利用者の嗜好が反映されたメディアデータの再生リストを表示することができる。これにより、利用者は、この再生リストに基づいて所望のデータを容易に検索し再生することが可能である。
【００４１】
また、この実施の形態２によれば、検索処理部１３が、メディアデータの再生された再生回数が少なく、再生完了率が低い順にメディアデータのリスト内の順序を決定したリストを作成し、操作処理部１２が、表示処理部１４により表示部３に表示されたリストを基に、操作受け付け部１１により削除が指示されたメディアデータを外部記憶メディア２から削除する。このように構成することでも、外部記憶メディア２の記憶領域を有効に活用することができる。
【００４２】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１  メディア再生装置、２  外部記憶メディア、３  表示部、１０  外部記憶メディア検知部、１１  操作受け付け部、１２  操作処理部、１３  検索処理部、１４  表示処理部、１５  再生処理部、１６  情報登録処理部、１７  情報記憶部。
【図１】
2015069212.tif 000003
【図２】
2015069212.tif 000004
【図３】
2015069212.tif 000005
【図４】
2015069212.tif 000006
【図５】
2015069212.tif 000007
【図６】
2015069212.tif 000008
【図７】
2015069212.tif 000009